【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
表示スクリーン上のオブジェクトの動きを制御する装置において、
ａ）第１の軸に沿う長手方向長さを有する軸と、
ｂ）前記軸が載置された基部と、
ｃ）前記軸に載置され、前記第１の軸に沿って働く力を表わす出力信号を条件付けるセンサと
を備える装置。
【請求項２】
請求項１記載の装置において、
前記基部に配置され且つ前記センサに対し当接して、該センサを電圧源に結合する入力トレースと、
前記基部に配置され且つ前記センサに結合されて、前記軸が力を受ける方向を表わす信号を出力する出力トレースと
を更に備える装置。
【請求項３】
請求項２記載の装置において、
前記基部に載置されて前記入力トレースと前記出力トレースとを支持する可撓性ケーブルを更に備える装置。
【請求項４】
請求項３記載の装置において、
前記基部に形成され、且つ前記可撓性ケーブルをこれの保護のため収容するのに充分なように前記軸の周囲に配置された空洞を更に備える装置。
【請求項５】
請求項４記載の装置において、
前記空洞が前記基部の底部に載置される装置。
【請求項６】
請求項１記載の装置において、
前記基部に形成され且つ前記軸の周囲に配置された空洞を更に備え、前記センサが該空洞内へ延びる装置。
【請求項７】
請求項６記載の装置において、
前記空洞内に配置され且つ前記センサに当接して、該センサを電圧源に結合する入力トレースと、
前記空洞に配置され且つ前記センサに結合して、前記軸が力を受ける方向を表わす信号を出力する出力トレースと
を更に備える装置。
【請求項８】
請求項７記載の装置において、
前記入力トレースと前記出力トレースとを支持し且つ前記基部に載置された可撓性ケーブルを更に備える装置。
【請求項９】
請求項８記載の装置において、
前記軸と前記基部との対向面間に配置されて、前記軸を前記基部に固定する接着剤を更に含む装置。
【請求項１０】
情報システムにデータを入力するキーボードにおいて、
ａ）前記キーボードに配置された少なくとも２つのキーと、
ｂ）前記２つのキーの間に配置され且つ該キーの頂面の方向に延びる軸であって、該頂面の方向に延びる第１の軸に沿う長手方向長さを有する軸と、
ｃ）頂面と底面とを有する基部であって、前記軸がこれを貫通して配置された、前記の基部と、
ｄ）前記軸に載置されて、前記頂面から前記底面まで連続的に延びるセンサであって、前記第１の軸に沿って働く力を表わす出力信号を条件付けるセンサと
を備えるキーボード。
【請求項１１】
請求項１０記載のキーボードにおいて、
前記基部に配置され且つ前記センサに当接し、該センサを電圧源に結合する入力トレースと、
前記基部に配置され且つ前記センサに結合され、前記軸が力を受けている方向を表わす信号を出力する出力トレースと
を更に備えるキーボード。
【請求項１２】
請求項１１記載のキーボードにおいて、
前記基部に載置されて前記入力トレースと前記出力トレースとを支持する可撓性ケーブルを更に備えるキーボード。
【請求項１３】
請求項１２記載のキーボードにおいて、
前記基部に設けられ、且つ前記可撓性ケーブルをこれの保護のため収容するのに充分なように前記軸の周囲に配置された空洞を更に備えるキーボード。
【請求項１４】
請求項１３記載のキーボードにおいて、
前記空洞が前記基部の底部に設けられたキーボード。
【請求項１５】
請求項１０記載のキーボードにおいて、
前記基部に設けられ且つ前記軸の周囲に配置された空洞を更に含むキーボード。
【請求項１６】
請求項１５記載のキーボードにおいて、
前記空洞に配置され且つ前記センサに当接して、前記センサを電圧源に結合する入力トレースと、
前記空洞に配置され且つ前記センサに結合して、前記軸が力を受ける方向を表わす信号を出力する出力トレースと
を更に備えるキーボード。
【請求項１７】
請求項１６記載のキーボードにおいて、
前記基部に配置されて前記入力トレースと前記出力トレースとを支持する可撓性ケーブルを更に備えるキーボード。
【請求項１８】
請求項１７記載のキーボードにおいて、
前記軸と前記基部との対向面間に配置されて、該軸を該基部に固定する接着剤を更に備えるキーボード。
【請求項１９】
キーボードとモニターとを含むコンピュータ・システムにおいて、
ａ）前記コンピュータ・システムの動作を指示するカーソルを有するモニターと、
ｂ）データ入力を前記モニターへ送るように結合された、前記キーボードに配置された少なくとも２つのキーと、
ｃ）前記２つのキーの間に位置し且つ該キーの頂面に向けて延びて、該頂面に向って延びる第１の軸に沿う長手方向長さを有する軸と、
ｄ）頂面と底面とを有し、前記軸が貫通して設けられた基部と、
ｅ）前記軸に載置されて、前記カーソルが位置決めされているモニター上のアイテムを選択するため前記第１の軸に沿って働く力を表わす出力信号を条件付けるセンサと
を備えるコンピュータ・システム。
【請求項２０】
請求項１９記載のコンピュータ・システムにおいて、
前記基部に配置され且つ前記センサに当接して、該センサを電圧源に結合する入力トレースと、
前記基部に配置され且つ前記センサに結合して、前記軸が受けている力の方向を表わす信号を出力する出力トレースと
を更に備えるコンピュータ・システム。
【請求項２１】
請求項２０記載のコンピュータ・システムにおいて、
前記基部に載置されて前記入力トレースと前記出力トレースとを支持する可撓性ケーブルを更に備えるコンピュータ・システム。
【請求項２２】
請求項２１記載のコンピュータ・システムにおいて、
前記基部に設けられ、且つ前記可撓性ケーブルをこれの保護のため収容するのに充分なように前記軸の周囲に配置された空洞を更に備えるコンピュータ・システム。
【請求項２３】
請求項２２記載のコンピュータ・システムにおいて、
前記空洞が前記基部の底部に配置されるコンピュータ・システム。
【請求項２４】
請求項１９記載のコンピュータ・システムにおいて、
前記基部に設けられ且つ前記軸の周囲に配置された空洞を更に備え、前記センサが前記空洞内へ延びるコンピュータ・システム。
【請求項２５】
請求項２４記載のコンピュータ・システムにおいて、
前記空洞に配置され且つ前記センサに当接して、該センサを電圧源に結合する入力トレースと、
前記空洞に配置され且つ前記センサに結合して、前記軸が受けている力の方向を表わす信号を出力する出力トレースと
を更に備えるコンピュータ・システム。
【請求項２６】
請求項２５記載のコンピュータ・システムにおいて、
前記基部に配置されて前記入力トレースと前記出力トレースとを支持する可撓性ケーブルを更に備えるコンピュータ・システム。
【請求項２７】
請求項２６記載のコンピュータ・システムにおいて、
前記軸と前記基部との対向面間に配置されて、該軸を該基部に対して固定する接着剤を更に含むコンピュータ・システム。
【請求項２８】
情報システムにデータを入力するキーボードにおいて、
ａ）前記キーボードに配置されて、タイピング中のユーザーの指を位置決めするためのホーム行のキーと、
ｂ）前記キーボードに配置されて、ユーザーの１つの指を、ユーザーの残りの指がホーム行上で静止状態のままで用いることにより、ユーザーが、表示装置上のアイテムを選択することと、該表示装置上のカーソルの動きを制御することとの双方を可能にするカーソル制御装置と
を備えるキーボード。
【請求項２９】
請求項２８記載のキーボードにおいて、
前記カーソル制御装置が更に、ユーザーが前記表示装置上の前記アイテムを選択することと、該アイテムを前記表示装置上でドラッグすることとの双方を可能にするキーボード。
【請求項３０】
請求項２９記載のキーボードにおいて、
前記カーソル制御装置が、
ａ）２つのキーの間に配置され且つ該キーの頂面の方向に延びる軸であって、前記頂面の方向に延びる第１の軸に沿う長手方向長さを有する軸と、
ｂ）頂面と底面とを有する基部であって、前記軸がこれを貫通して配置される、前記の基部と、
ｃ）前記軸に載置され、前記頂面から前記底面まで連続的に延びて、前記第１の軸に沿って働く力を表わす出力信号を条件付けるセンサと
を含むキーボード。
【請求項３１】
請求項３０記載のキーボードにおいて、
前記基部に設けられ且つ前記センサに当接して、該センサを電圧源に結合する入力トレースと、
前記基部に配置され且つ前記センサに結合されて、前記軸が受けている力の方向を表わす信号を出力する出力トレースと
を更に備えるキーボード。
【請求項３２】
請求項３１記載のキーボードにおいて、
前記基部に配置されて入力トレースと出力トレースとを支持する可撓性ケーブルを更に含むキーボード。
【請求項３３】
請求項３２記載のキーボードにおいて、
前記基部に設けられ、且つ前記可撓性ケーブルをこれの保護のため収容するのに充分なように前記軸の周囲に配置された空洞を更に含むキーボード。
【請求項３４】
請求項３３記載のキーボードにおいて、
前記空洞が前記基部の底部に設けられたキーボード。
【請求項３５】
請求項３０記載のキーボードにおいて、
前記基部に設けられ且つ前記軸の周囲に配置された空洞を更に含むキーボード。
【請求項３６】
請求項３５記載のキーボードにおいて、
前記空洞に配置され且つ前記センサに当接して、前記センサを電圧源に結合する入力トレースと、
前記空洞に配置され且つ前記センサに結合して、前記軸が受けている力の方向を表わす信号を出力する出力トレースと
を更に備えるキーボード。
【請求項３７】
請求項３６記載のキーボードにおいて、
前記基部に配置されて前記入力トレースと前記出力トレースとを支持する可撓性ケーブルを更に備えるキーボード。
【請求項３８】
請求項３７記載のキーボードにおいて、
前記軸と前記基部との対向面間に配置されて、該軸を該基部に固定する接着剤を更に含むキーボード。